(57)【要約】      （修正有）【課題】コンパクトで携帯可能な、リントを除去する装置を提供する。【解決手段】リント除去装置１０は、ハウジング１２と、リント除去材を保持するローラ１４と、作動装置１６１とを含む。ローラ１４及びリント除去材は、ハウジング１２内に収容されるように寸法取り・構成される。ローラは、ユーザによる作動装置１６１の操作により、ハウジングから展開可能に構成される。【選択図】図３
2019147006.tif 000002
【特許請求の範囲】
【請求項１】
リントを除去する装置であって、
ハウジングと、
ローラ及びリント除去材は、前記ハウジングによって収容されるように寸法取りされ、構成され、前記ローラ及びハウジングは、前記ローラが、前記ハウジングから展開可能なように構成されたリント除去材を保持するローラと、
前記ローラ若しくは前記ハウジングと結合される、又は前記ローラ若しくは前記ハウジングによって形成される作動装置であって、前記ローラが展開するようユーザにより操作可能な作動装置とを含む、装置。
【請求項２】
前記ローラと前記ハウジングは、互いに対して可動である、請求項１に記載の装置。
【請求項３】
前記作動装置は、前記ハウジングに対して回動可能である、請求項１又は２に記載の装置。
【請求項４】
前記作動装置は、前記ローラが前記ハウジングに対して横方向に移動するように、構成されることを特徴とする、請求項１乃至３のいずれかに記載の装置。
【請求項５】
前記ローラは、前記ハウジングの対応部分と係合する少なくとも１つの径方向に突出するピンを含む、請求項１乃至４のいずれかに記載の装置。
【請求項６】
前記ハウジングは、前記ローラの対応するピンを受容するために、少なくとも１つのスロットを含む、請求項１乃至５のいずれかに記載の装置。
【請求項７】
前記ローラは、少なくとも１つの径方向ローラピン又はローラ螺子山によって、前記ハウジングの内腔にある対応する螺合部で、前記ハウジングに取付けられる、請求項１乃至６のいずれかに記載の装置。
【請求項８】
前記作動装置は、前記ローラと結合され、前記ローラを展開するために、前記ハウジングのスロットに沿って摺動可能である、請求項１乃至7のいずれかに記載の装置。
【請求項９】
前記ローラは、展開又は非展開位置へと、弾性的に付勢され、好適にはバネ付勢される、請求項１乃至８のいずれかに記載の装置。
【請求項１０】
前記ハウジングのスロット又はハウジングの螺合部は、前記ローラの展開を制限するために、引掛け装置（ｃａｔｃｈ）で終端される、請求項６乃至９のいずれかに記載の装置。
【請求項１１】
前記ローラの展開を制限するために、前記ハウジング上又は内に、切欠きを更に含む、請求項１乃至１０のいずれかに記載の装置。
【請求項１２】
前記ローラの近位端には、少なくとも１つのフランジを有する、請求項１乃至１１のいずれかに記載の装置。
【請求項１３】
前記ハウジングの遠心端は、少なくとも１つの周方向リップを有する、請求項１乃至１２のいずれかに記載の装置。
【請求項１４】
前記作動装置は、前記ローラと結合されるトリガである、請求項１乃至１３のいずれかに記載の装置。
【請求項１５】
前記作動装置は、前記ハウジングの少なくとも一部によって形成され、前記作動装置は、前記ハウジングの更なる部分によって、少なくとも部分的に収容されるように可動である、請求項１乃至１４のいずれかに記載の装置。
【請求項１６】
前記ハウジングは、ヒンジ部又はヒンジにより結合された、少なくとも２つの部品に分離可能である、請求項１乃至１５のいずれかに記載の装置。
【請求項１７】
前記ローラは、リント除去材のロール及びピストンを含む、請求項１乃至１６のいずれかに記載の装置。
【請求項１８】
前記ローラは、心棒を更に含む、請求項１乃至１７のいずれかに記載の装置。
【請求項１９】
前記リント除去材は、接着剤でコーティングされた基材を含む、請求項１乃至１８のいずれかに記載の装置。
【請求項２０】
前記リント除去材のロールは、前記リント除去材が巻着される管を更に含む、請求項１乃至１９のいずれかに記載の装置。
【請求項２１】
前記ハウジングは、筒状である、請求項１乃至２０のいずれかに記載の装置。
【請求項２２】
着脱可能なカバー、好適には金属カバーを更に含む、請求項１乃至２１のいずれかに記載の装置。
【請求項２３】
前記カバーは、２部分から成り、片方がもう片方より長い、請求項２２に記載の装置。
【請求項２４】
前記ローラの遠心端は、キャップを備える、請求項１乃至２３のいずれかに記載の装置。
【請求項２５】
リント除去材のロールを前記ローラ上に保持するために、前記キャップは、前記ローラに接続可能である、請求項２４に記載の装置。
【請求項２６】
前記作動装置は、前記ハウジングと同軸にある螺旋体又は螺合部に接続される、或いは前記螺旋体又は螺合部と共に形成される、請求項１乃至２５のいずれかに記載の装置。
【請求項２７】
前記同軸螺旋体又は螺合部は、前記ローラの対応する螺合部と係合可能である、請求項２６に記載の装置。
【請求項２８】
前記ローラ螺合部は、前記ローラ上、或いは前記ローラ上又は内に固定された走行部上に設けられる、請求項２７に記載の装置。
【請求項２９】
前記ローラは、２つの分離可能な部品から成るリントスライダ要素を含む、請求項２８に記載の装置。
【請求項３０】
前記ローラは、少なくとも１つの、好適には２つの直径方向に対向する長手方向スロットを有する芯を含む、請求項２６乃至３０のいずれかに記載の装置。
【請求項３１】
前記ローラ螺合部は、前記ローラの突部によって設けられ、前記ローラが前記スライダ要素を含む場合、該スライダ要素の各部分は、突部を備え、該突部は、前記又は各長手方向スロットに沿って移動するように寸法取りされ、構成される、請求項３０に記載の装置。
【請求項３２】
前記ローラ螺合部は、前記走行部の内腔によって設けられ、前記走行部は、前記又は各長手方向スロットに沿って移動するように寸法取りされ、構成される突部を有する、請求項３０に記載の装置。
【発明の詳細な説明】
【技術分野】
【０００１】
本発明は、リントを除去する装置に関する。
【背景技術】
【０００２】
一般的に、リントは、布や他の材料から分離し、衣服の表面及び他の表面に存在することがある短い微細な繊維を意味するものとして知られている。リントを除去する様々な方法が、当該技術分野で知られている。一般的に使用される既知のリント除去装置は、ハンドルに取着された、心棒（スピンドル）上に回転可能に取付けられたリント除去用接着剤担持材のロールから成る。使用時に、ユーザが、対象物の表面上を又は表面に沿って、心棒周りにリント除去装置を転動させると、表面上のリントが、リント除去用接着材に接着する。また、リントローラは、ペットの毛を含む毛髪、埃、及び他の粒子等のその他の物質も付着して、除去することもできる。本明細書では、用語「リント」は、そうした物質全てを包含するものとする。
【０００３】
リント除去材は、ロールに設けられ、それにより除去材の領域が一旦使用済みになり、リントで覆われたために粘着性がなくなると、使用済み領域が剥ぎ取られて、その下にある新たな未使用の領域が現れるようになっている。ロールには、ミシン目が入れられ、個別のシートに剥ぎ取り可能になっている。或いは、ロールの個別のシート間にはミシン目部分を含まず、ロールが、ロール周りに単に次々に配置された個別のシートを含むこともある。当該技術分野で知られるように、シートには、裏面、及びシート上の粘着材として使用される感圧性接着剤（Ｐｒｅｓｓｕｒｅ  Ｓｅｎｓｉｔｉｖｅ  Ａｄｈｅｓｉｖｅ：ＰＳＡ）を有し、回動されると、該ＰＳＡはシートの裏面に接着できるが、ユーザによって引き剥がしてもよい。つまり、ＰＳＡの裏面への粘着力は、ユーザがロールから１枚シートを除去することで解除できる。好適には、シートは、ロールに対するバイアスに沿って、即ち斜めに、ミシン目を入れられてもよい、又は分離されてもよい。
【０００４】
しかしながら、既知のリント除去装置には幾つかの課題がある。既知の装置は、かなり大きく、携帯し難い。リント除去用接着材は、ロール周りに常に露出されるため、特に輸送時に、リント除去用接着材は、埃や意図しない物を付着することがある。これにより、接着材のリントを除去する効果が薄れるだけでなく、接着材が、リント、毛髪、埃、及びゴミ屑で覆われると、極めて見場も悪くなる。更に、これは、より多くのリント除去用粘着材のシートが使用されることを意味する。また、既知のリントローラでは、良好なユーザ体験を提供していない。既知のリントローラ組立体のいくつかの実施例が、特許文献１及び特許文献２に開示されている。
【０００５】
これらの課題を解決するために、幾つかの取り組みがなされており、例えば、特許文献３では、可搬型リント除去装置を開示している。しかしながら、この出願では、リント除去装置が嵩張り、操作し難いため、上記課題を十分に対処しているわけではない。
【０００６】
特許文献４では、眼鏡ケースのような別途ケースを含み、そのためかなり嵩張る、更なるローラ組立体について開示している。
【０００７】
また、特許文献５では、ヒンジ式ハウジング中にある接着剤でコーティングされた材料のロールについて開示している。
【０００８】
更なる従来技術のリント除去装置が、特許文献６に記載されている。この装置では、リントのロールも、分裂又は分割ケーシングに含まれている。
【０００９】
更なる従来技術のリント除去装置が、特許文献７及び特許文献８に開示されている。
【先行技術文献】
【特許文献】
【００１０】
【特許文献１】英国特許第２２５７６１８（Ａ）号
【特許文献２】欧州特許第０９６６９１５（Ａ１）号
【特許文献３】米国特許出願公開第２０１１／００７８８６６Ａ１号
【特許文献４】米国特許出願公開第２０１２／０２８４９３９Ａ１号
【特許文献５】米国特許出願公開第２００５／０１８３２２３Ａ１号
【特許文献６】国際公開第８３／０１７３４号
【特許文献７】ドイツ実用新案公報第１９９３１３５Ｕ号
【特許文献８】特開２００７−３１９４６２Ａ号公報
【発明の概要】
【発明が解決しようとする課題】
【００１１】
本発明は、上記課題を解決しようとするコンパクトで携帯可能なリントを除去する装置に関する。
【課題を解決するための手段】
【００１２】
本発明には、以下に関する。
リントを除去する装置であって、
ハウジングと、
ローラ及びリント除去材は、ハウジングによって収容されるように寸法取りされ、構成され、ローラ及びハウジングは、ローラがハウジングから展開可能なように構成された、リント除去材を保持するローラと、
ローラ若しくはハウジングと結合される、又はローラ若しくはハウジングによって形成される作動装置（アクチュエータ）であって、ローラが展開するようユーザにより操作可能な作動装置とを含む。
【００１３】
有利には、ローラとハウジングは、互いに対して可動である。
【００１４】
便宜的に、作動装置は、ハウジングに対して回動可能である。
【００１５】
好適には、作動装置は、ローラがハウジングに対して横方向に移動するように構成される。
【００１６】
有利には、ローラは、ハウジングの対応部分と係合する少なくとも１つの径方向に突出するピンを含む。
【００１７】
好適には、ハウジングは、ローラの対応するピンを受容するために、少なくとも１つのスロットを含む。
【００１８】
便宜的に、ローラは、少なくとも１つの径方向ローラピン又はローラ螺子山によって、ハウジングの内腔にある対応する螺合部（スクリュースレッド）で、ハウジングに取付けられる。
【００１９】
有利には、作動装置は、ローラと結合され、ローラを展開するために、ハウジングのスロットに沿って摺動可能である。
【００２０】
好適には、ローラは、展開又は非展開位置へと、弾性的に付勢される。
【００２１】
便宜的に、ローラは、展開又は非展開位置へと、バネ付勢される。
【００２２】
有利には、ハウジングのスロット又はハウジングの螺合部は、ローラの展開を制限するために、引掛け装置（ｃａｔｃｈ）で終端される。
【００２３】
好適には、本装置は、ローラの展開を制限するために、ハウジング上又は内に、切欠き（ノッチ）を更に含む。
【００２４】
便宜的に、ローラの近位端には、少なくとも１つのフランジを有する。
【００２５】
有利には、ハウジングの遠心端は、少なくとも１つの周方向リップを有する。
【００２６】
好適には、作動装置は、ローラと結合されるトリガである。
【００２７】
便宜的に、作動装置は、ハウジングの少なくとも一部によって形成され、ハウジングの更なる部分によって、少なくとも部分的に収容されるように可動である。
【００２８】
好適には、ハウジングは、ヒンジ部又はヒンジにより結合された、少なくとも２つの部品に分離可能である。
【００２９】
便宜的に、ローラは、リント除去材のロール及びピストンを含む。
【００３０】
好適には、ローラは、心棒（スピンドル）を更に含む。
【００３１】
有利には、リント除去材は、接着剤でコーティングされた基材を含む。
【００３２】
便宜的に、リント除去材のロールは、リント除去材が巻着される管を更に含む。
【００３３】
好適には、ハウジングは、筒状である。
【００３４】
有利には、本装置は、着脱可能なカバー、好適には金属カバーを更に含む。
【００３５】
有利には、カバーは、２部分から成り、片方がもう片方より長い。
【００３６】
便宜的に、ローラの遠心端は、キャップを備える。
【００３７】
好適には、リント除去材のロールをローラ上に保持するために、キャップは、ローラに接続可能である。
【００３８】
有利には、作動装置は、ハウジングと同軸にある螺旋体又は螺合部に接続される、又は螺旋体又は螺合部と共に形成される。
【００３９】
便宜的に、同軸螺旋体又は螺合部は、ローラの対応する螺合部と係合可能である。
【００４０】
好適には、ローラ螺合部は、ローラ上、或いはローラ上又は内に固定された走行部（トラベラ）上に設けられる。
【００４１】
便宜的に、ローラは、２つの分離可能な部品から成るリントスライダ要素を含む。
【００４２】
有利には、ローラは、少なくとも１つの、好適には２つの直径方向に対向する長手方向スロットを有する芯（コア）を含む。
【００４３】
好適には、ローラ螺合部は、ローラの突部によって設けられ、ローラがスライダ要素を含む場合、該スライダ要素の各部分は、突部を備え、該突部は、上記又は各長手方向スロットに沿って移動するように寸法取りされ、構成される。
【００４４】
便宜的に、ローラ螺合部は、走行部の内腔によって設けられ、走行部は、上記又は各長手方向スロットに沿って移動するように寸法取りされ、構成される突部を有する。
【発明の効果】
【００４５】
本発明では、リント除去用接着材を保持するローラは、非使用時にハウジングに収容され、それによりローラを、例えば、ハンドバッグ、パーソナルバッグ又はポケットに入れて持ち歩く際に、ローラが、接着材に付着する、或いは接着材を無効にする可能性がある埃や他の物質から保護される。また、ローラは、ユーザがハウジングから取出し易くする。当業者が以下の説明から分かるように、本発明は、従来技術より明らかに利点がある。
【図面の簡単な説明】
【００４６】
【図１】（図１Ａ）リント除去用装置の断面図を表し、ハウジング、ローラ及び作動装置を示している。      （図１Ｂ）同ローラの断面図を表している。
【図２】（図２Ａ）本発明の装置の断面図を表している。      （図２Ｂ）本発明の装置の断面図を表している。      （図２Ｃ）図２Ａ及び図２Ｂに表されたハウジングの一部に関する斜視図を表している。      （図２Ｄ）本発明の更なる装置の斜視図を表している。      （図２Ｅ）本発明の更なる装置の斜視図を表している。
【図３】本発明の装置の断面図を表している。
【図４】（図４Ａ）本発明の装置の断面図を表している。      （図４Ｂ）図４Ａの装置の側面図を表している。
【図５】本発明の装置の断面図を表している。
【図６】（図６Ａ）本発明の装置の断面図を表している。      （図６Ｂ）図６Ａの構成要素の斜視図を表している。
【図７】（図７Ａ）本発明の装置の斜視図を表している。      （図７Ｂ）図７Ａの装置の断面図を表している。      （図７Ｃ）図７Ａの装置の断面図を表している。
【図８】本発明の装置の概略図を表している。
【図９】（図９Ａ）本発明の装置のハウジングの断面図を表している。      （図９Ｂ）図９Ａの装置の斜視図を表している。      （図９Ｃ）図９Ａの装置の斜視図を表している。
【図１０】本発明による更なる装置の分解斜視図を表している。
【図１１】本発明による別の装置の分解斜視図を表している。
【図１２】図１１の装置と共に使用する走行部を表している。
【発明を実施するための形態】
【００４７】
以下では、本発明の態様について、添付図を参照して、説明する。
【００４８】
図１乃至図１１では、本発明のリント除去装置１０に関する幾つかの変形例である装置とそれらの構成部品について表している。図１Ａは、本発明の様々な重要な構成要素を示す汎用図である。図１Ａでは、装置１０は、筒状ハウジング１２を含むものとして表されている。該ハウジングは、外面、及び遠位開口１２２を有して内室１２１を画成する内腔を含む。本明細書及びクレームにおいて、「遠位（ｄｉｓｔａｌ）」は、ローラが展開される領域を言い、「近位（ｐｒｏｘｉｍａｌ）」は、そこから離隔してローラが展開される領域、即ちユーザによって保持及び／又は操作される領域を言う。当然ながら、ハウジング１２の外面は、機能又は美観目的、例えばユーザが把持し易いように、形成されることができる。ハウジング１２は、図１Ｂに表されるように、ローラ１４を収容する。ローラは、リント除去材又はテープ１４１のロール１４２、及びピストン１４４に取着された心棒（スピンドル）１４３を含んでもよい。ローラ１４は、ロール１４２の中心に配設される管を更に含んでもよい。リント除去材は、この管周りに巻着されてもよく、管は、心棒に取付けられてもよい。管は更に、例えば、プラスチック又は段ボールで作製されてもよい。
【００４９】
リント除去材は、当該技術分野で知られている。リント除去材は、リントが接着できる如何なる物質、例えば、基材の片面の接着剤、即ち、例えば、感圧接着剤（ｐｒｅｓｓｕｒｅ−ｓｅｎｓｉｔｉｖｅ  ａｄｈｅｓｉｖｅ：ＰＳＡ）を用いた接着テープとすることができる。
【００５０】
本発明の一装置は、接着剤でコーティングされた基材、即ちテープ１４１、のロール１４２が巻着されたローラ１４を含む。また、ロール１４２は、シートになるようにミシン目が入れられていてもよい。従って、一枚のリント除去材１４１が使用済みになると（即ち、リントや他の物質で、それ以上のリントを効果的に付着できない程度まで被覆されると）、その下にある別の未使用のシートが現れるように、当該シートが剥ぎ取られてもよい。好適には、基材の各ミシン目が入れられたシートは、ローラ１４を一周する大きさにし、それにより一枚のシートが、ローラ１４の外面を被覆するようにする。リント除去材１４１のロール１４２は、ミシン目によって分離される２０〜５０枚のシートを含んでもよい。リント除去材１４１のロール１４２に、シート４０枚を存在させるのが好ましい。リント除去材１４１のロール１４２は、取替可能にしてもよい。
【００５１】
以上説明したように、個々のシートは、ミシン目によって分離されなくてもよいが、単にロール上で極近接して配置されてもよい。各シートをバイアスにロール１４２の周りに巻着して、シートが、斜め方向に切断されるようにしてもよい。リントを付着するよう意図されるリント除去材１４１の前面には、感圧接着剤（ＰＳＡ）を備える。リント除去材１４１が、ロール１４２周りに巻着される際に、リント除去材１４１の裏面は、力を加えて感圧接着剤に接着するが、この接着は、ユーザが裏面からリント除去材を剥離すると、容易に解消される程度にしてもよい。
【００５２】
ロール１４２は、固定状態の装置としてもよい、或いはロール１４２は、心棒１４３周りに回動してもよい。ローラ１４は、本装置１０でリント及び他の物質を除去できる手段として、機能する。
【００５３】
また、作動装置１６も備えられ、該作動装置は、ハウジング１２又はローラ１４のどちらかに結合されることができる。用語「作動装置（アクチュエータ）」及びその変化形は、ローラ１４をハウジング１２から展開するよう操作可能な、要素、装置又はメカニズムを意味する。当然ながら、作動装置１６は、以下で説明するように、様々な形を取ることができる。
【００５４】
図２Ａで表された本発明の一装置は、回動可能な作動装置１６１を有し、該作動装置１６１は、ハウジングの内腔２０上又は内に配設された螺合部（スクリュースレッド）１８と結合される。ローラ１４は、ピストン１４４の少なくとも１本のピン２２によって、螺合部１８に配設される。或いは、ローラ１４は、ハウジングの内腔２０にある螺合部１８に、ピストン１４４の対応する螺合部（スクリュースレッド）２２１によって、図２Ｂに示されるように、ナットがボルトに螺着するのと同じ方法で、配設されてもよい。
【００５５】
作動装置１６１が回動すると、ローラ１４は、ピン２２若しくは複数のピン、又は対応する螺合部２２１が、ハウジングの螺合部１８を上方に移動するにつれて、ハウジング１２から展開される。作動装置１６１が逆方向に回動されると、ローラ１４は、非展開位置へと後退される。
【００５６】
この装置では、ピストン１４４は、自由に回動しない。所望であれば、心棒１４３は、ピストン１４４に取着されてもよく、ロール１４２を回動可能にすべき場合に、ロール１４２は、心棒１４３の周りに回動できる。ロール１４２は、使用時に、例えば心棒周りに回動又は回転可能にするのが好ましい。
【００５７】
ハウジング１２の内腔２０にある螺合部１８は、引掛け装置（ｃａｔｃｈ  ａｒｒａｎｇｅｍｅｎｔ）によって終端されてもよい。引掛けは、作動装置の方向、即ち非展開から展開に移行する際にローラ１４が移動する方向とは逆に、配置された切欠き（ノッチ）１８１としてもよい。かかる引掛けの例として、図２Ｃを参照されたい。ピン２２又は螺子山（スレッド）が切欠き１８１に達すると、ピン２２又は螺子山は、切欠きの中に入り、ピン又は螺子山は上方にそれ以上移動できなくなり、そのため切欠きは、ハウジング１２からのローラ１４の最大展開量も限定する。当然ながら、ローラ装置１４（ロール１４２及びピストン１４４を含む）は、例えば引張バネを用いて、非展開位置に弾性的に付勢されてもよい。そのために、ピン２２は、切欠き内にしっかりと固定され、その結果バネがピンを近位端（非展開）へと付勢するため、ピン２２が捕捉状態になる。
【００５８】
その後、作動装置１６１が逆方向に、即ちローラ１４を展開から非展開位置へと移動させるように、回動されると、ピン２２又は螺子山（スレッド）２２１を上方に移動させて、切欠きから出して、螺合部１８に沿って下方に戻すように、バネ付勢に逆らう力が加わり、ピン２２又は螺子山２２１は、近位端へと移動でき、それによりローラ１４が、非展開位置へと移行する。
【００５９】
当然ながら、螺合部１８の連続する溝間の間隔が大きい程、ローラ１４を展開するのに必要な作動装置１６１の回転は少なくなる。
【００６０】
更なる装置では、図２Ｄ（非展開）及び図２Ｅ（展開）に遠近法で表されるように、リップクリームと同様の方法で、ローラ１４は展開されることができる。ハウジングの内腔２０には、螺合部１８が配設、又は成形若しくは刻まれている。ハウジング内に収容されるのは、内側スリーブ２０１であり、該スリーブは、それを通る横スロット１８８を有する。ピストン１４４に結合されたピン２２は、内側スリーブ２０１の横スロット１８８を通り、ピン２２の端部は、内腔２０の螺合部１８に配設される。内側スリーブは、回動可能な作動装置１６１に接続される。ユーザが作動装置１６１を回動させると、内側スリーブも回動し、螺合部と横スロットの両方までピンを送り、それによりローラ１４は、軸方向運動で展開されるようになる。
【００６１】
ユーザが逆方向に作動装置１６１を回動させると、内側スリーブ２０１は、逆方向に回動し、それによりピンが横スロット１８８及び螺合部１８を移動して、非展開位置になる。
【００６２】
この装置は、ローラ１４を展開位置に係止するために、図２Ｃで表したような、切欠きを更に含んでもよい。当然ながら、この装置は、其々図２Ａ及び図２Ｂで説明されたような、展開位置又は非展開位置に付勢するバネ等、弾性付勢体も更に含んでもよい。
【００６３】
本発明の別の装置では、図３で表されたように、回動可能な作動装置１６１が、螺子２４に結合され、該螺子は、この装置では中空になっているローラ１４０によって形成された内室に配設される。ピストン１４４が設けられ、ピストン１４４は、中央のピストン穴に螺子切り部（スレッド）２２２を有し、螺子切り部２２２は、螺子２４に対応している。回動可能な作動装置１６１が回されると、螺子２４は、作動装置に取着されているため、回動する。螺子２４を回動すると、ピストン１４４の螺子切り部と螺子２４とが対応するため、ピストン１４４を螺子２４まで移動させて、ローラ１４を展開する。同様に、回動可能な作動装置１６１が、別の方向に回動されると、ローラ１４は、ハウジング内に後退される。
【００６４】
ここでもまた、螺子２４の隣り合う各螺子切り部間の間隔が大きい程、ローラ１４を展開するのに必要な作動装置１６１の回動が少なくなる。
【００６５】
図４で示された本発明の更なる一装置では、同装置の作動装置１６２は、ラジアルピンであり、該ラジアルピンは、ピストン１４４に結合される。作動装置１６２は、ローラ１４をハウジング１２から展開するために、ハウジング１２を通り形成された横スロット２６を上方に摺動できる。作動装置１６２がユーザによってスロット２６を上方に摺動されると、ローラ１４は、ハウジング１２から展開される。当然ながら、作動装置又はピン１６２は、ボタン又はキャップによって被覆されてもよい。以下で更に説明するように、この装置では、ローラ装置１４は、例えばコイルバネを使用して、非展開（閉）位置へと弾性的に付勢されてもよい。
【００６６】
例えばローラ１４及びピストン１４４は、他の弾性手段を用いてもよいが、バネ２８によって付勢されてもよい（図５参照）。バネは、ローラ１４の展開又は非展開位置のどちらかへと付勢されてもよい。図５に示されているように、バネは、圧縮されると、ローラ１４を展開位置へと付勢し、トリガ１６３、この場合ラジアルピンは、ローラ１４が展開するのを防止する。この装置では、トリガ１６３は、同装置の作動装置であると理解される。ユーザが、周方向スロット３２１内でピン１６３を周方向に摺動させて、トリガ１６３を解除すると、ピン１６３は、横スロット３２とでＬ字型を形成する周方向スロット３２１を横方向に移動できる。ピン１６３がスロット３２１とスロット３２との間の合流点に達すると、ピン１６３は、バネ２８の付勢のもとスロット３２を自在に横方向に摺動できる。従って、ローラ１４は展開される。
【００６７】
対応する周方向スロット３２２が、ハウジングの遠心端にあり、ピン１６３が周方向に摺動された際に、展開位置にローラ１４を維持できるＬ字型領域を形成している。バネを再圧縮するために、ユーザは、再びピン１６３を保持し、該ピンをスロット３２２を横切り、スロット３２を下り戻るように摺動する。ローラは、ピン１６３をスロット３２１を横切り戻すように摺動させることによって、非展開位置に係止されてもよい。注意すべき点として、スロット３２は、周方向スロットによって形成されたＬ字型領域の代わりに、切欠きを備えてもよい点がある。
【００６８】
当然ながら、ピン又はトリガ１６３は、ハウジングを通り径方向内方に弾性的に付勢されてもよい。従って、ピン又はトリガ１６３は、ハウジングにある孔を通過するまで、径方向内方に押圧すると、バネ２８は、ピン１６３を摺動させるよう作用し、その結果ローラ１４４は、スロット３２を上昇する。また、当然ながら、ユーザが操作するのに、ピン又はトリガ１６３を、ボタン又はキャップで被覆してもよい。
【００６９】
図６Ａに示された本発明の更なる実施形態では、ローラ１４は、圧縮されたバネ２８によって展開位置へと付勢されている。ローラ１４は、近位端にあるフランジ３４と共に、ハウジング１２の遠位端にある対応する寸法の周方向リップ３６を用いて、ハウジング１２内に保持される。作動装置又はトリガ１６４は、ローラ１４に結合されるピンであり、該ピンは、図６Ｂに表されたように、Ｌ字型スロット３８に対応する大きさになっている。作動装置又はトリガ１６４が操作されると、ピン１６４がスロット３８の水平部分３８１を周方向に摺動することによって、ピンは、スロット３８に沿って上方に移動し、それによりローラ１４が展開される。その後、ローラ１４は、バネ２８を圧縮し、ピンをスロット３８に沿って下方に摺動させ、スロット３８１を横切りピン１６４を周方向に摺動させて、係止位置に固定することによって、非展開位置に戻される。当然ながら、ユーザが押圧し易くするために、任意のキャップをローラ１４の遠心端に存在させて、本装置の使用に役立ててもよい。
また、当然ながら、フランジ３４及び周方向リップ３６は、本発明の他の装置において、存在させてもよい。
【００７０】
本発明の装置では、様々な形状及び大きさのスロット及びピンが、ローラ１４の軸及び回転運動を制限するために、使用されてもよい。様々なスロット及びピンが、展開又は非展開位置にローラ１４を係止するために、使用されてもよい。
【００７１】
図７Ａに図示された本発明の更なる装置では、ハウジング１２は、ローラ１４を露出するために、ハウジング１２の残部の周囲を回転する少なくとも１つのセクション１６５を有してもよい。図７Ｂに表されたように、本装置において作動装置を形成するのは、ハウジングセクション１６５である。図７Ｂに表されたように、作動装置１６５が概ね中心の軸の周りを回転して、ハウジング１２内に部分的又は全体的に格納されると、ローラ１４の一部が展開し、使用可能な状態になる。
【００７２】
作動装置１６５が軸の周りを反対方向に回転すると、図７Ｃに表されたように、完全に円筒状のハウジング１２を形成し、ローラ１４が非展開となる。当然ながら、図７Ｂ及び図７Ｃに表されたように、ユーザが握って、ハウジング１２内のセクション１６５を回転させる、例えば、ハウジングの回転可能部１６５上のハンドル又は隣接部（アバットメント）のような、把持可能な素子１６５０を備えてもよい。
【００７３】
図８に図示された本発明の別の装置では、ハウジング１２は、例えば１２Ａと１２Ｂのような２つ以上の部分にハウジングを分割できるように、少なくとも１つの横スプリットを有しても良い。ハウジングの１２Ａと１２Ｂの部分は、図示の通り、半円形の横断面を有する。図８に表されたように、１２Ａと１２Ｂは、ヒンジ装置４０によりピストン１４４に結合されてもよい。ハウジングセクションがヒンジ装置４０の周りを動く際、図８に表されたように、ローラ１４が展開される。ヒンジ４０の概略図は図８のとおりであるが、如何なるヒンジ装置であっても採用できる。
【００７４】
図９Ａと図９Ｃに図示された本発明の一装置では、クラムシェル型装置において、ハウジング１２０は少なくとも１つのジョイント１２０と、少なくとも１つの横スプリット１２１０を含んでも良い。図９Ｂのように、ハウジング１２が開いた際にローラ１４が展開する。ジョイント１２０は、ハウジング１２の可撓セクションであってもよい。ジョイント１２０の他の例としては、ヒンジや接続（ジョイン）タイプがある。
【００７５】
図１０は、特に本発明の好適実施形態について表している。図１０の実施形態は、図３で表された実施形態と若干似ており、可能な箇所には、同一参照番号が使用される。この実施形態では、作動装置（アクチュエータ）１６１は、螺子２０１又は別の固定手段によって螺合される螺旋体２４に取着されるキャップである。本装置のメインハウジング１２は、スナップフィットでアクチュエータキャップ１６１に取着され、キャップ１６１は、ハウジング１２周りに回動可能である。図示されたように、ハウジング１２は、ハウジングの他の部分と比べて、直径が狭い部分を含み、該部分は、作動装置１６１内に嵌合、及びスナップフィットするように寸法取りされて、構成され、スナップフィットは、キャップ１６１によって解除されるハウジング１２のリップを含む。
【００７６】
図１０に表示された実施形態では、ローラ１４は、フランジ２０９を有する芯２０２を含む。フランジ２０９は、芯２０２がハウジング１２の狭い領域内に、芯がハウジングに対して回動できないようにして、留められる。そのために、当然ながら、一度組付けられると、芯２０２は、ハウジング１２内に留められ、螺旋体２４が、芯２０２を通る。キャップ１６１と螺旋体２４は、ハウジング１２と芯２０２に対して一緒に回動可能であり、螺旋体は、芯及びハウジングに対して、同軸である。
【００７７】
図示した実施形態では、芯２０２は、２つの直径方向に対向する長手方向スロット２０８を備える。図１０の実施形態では、略円筒形である芯２０２が、２つの半体２０３ａ及び２０３ｂに分かれるリントスライダ２０３によって囲まれている。図１０から分かるように、リントスライダの２つの半体２０３ａ及び２０３ｂは、例えば、スライダ半体長に沿って走るスナップフィットによって、長手方向に互いに留められる。しかしながら、或いは、これらの部品は、一緒に成形されてもよい、又は例えば接着剤によって、互いに固定されてもよい。
【００７８】
図示されたように、各半体２０３ａ及び２０３ｂは、其々の近位端に、突部（ラグ）２２２（半体２０３ｂの突部は、同図では視認できないが、存在している）を備える。本装置の組立て中、２つの半体２０３ａ及び２０３ｂは、各突部２２２が芯の各スロット２０８を通過し、芯によって画成される内部空間内へと、突部が突出するようにして、互いに留められる。そのために、突部２２２は、ローラに対する内部螺合部を形成する、即ち、突部２２２は、比較的広い螺旋体である、螺旋体２４の螺子切り部に係合する。
【００７９】
従って、組立て後、使用中に、ハウジング１２（静止状態のままで、ユーザによって保持されている）に対する作動装置（キャップ１６１）の相対的な回動により、これもまた静止している芯３０２内で螺旋体２４を回動させる。突部２２２が螺旋体２４内に挿入されると、リントスライダ２０３は、突部２２２がスロット２０８に沿って押し進められるにつれて、芯３０２に対して巻上げられる。作動装置が一方向に回動されると、それにより、リントスライダを、ハウジング１２から突出させ、その結果展開される。スライダ２０３の移動は、スロット２０８の遠位端によって制限され、それによりスライダ２０３は、所定程度まで突出できるが、それ以上は突出できず、ハウジング１２から完全に螺脱されないようになる。作動装置を逆方向に回動することにより、スライダ２０３を、非展開位置に戻せる。
【００８０】
リント除去材のロール１４２は、前図の通り、その外側にリント除去材のロールが巻着された管である。ロール１４２は、リントスライダ２０３の外側周りに固定されるように、寸法取りされ、構成される。リントスライダ２０３の一方の半体２０３ｂは、リントスライダ２０３の端部から突出するツマミ２０４を備えることが、見て取れる。使用中、ロール１４２がリントスライダ２０３に固定された後に、詰め替え用（レフィル）キャップ２０５が、この組合せ装置の先端に配置されてもよい。つまり、リントロール１４２は、リントスライダ２０３上に配置され、次に詰め替え用キャップ２０５が、リントスライダ及びリント詰め替え部の端部上に配置され、該端部を被覆する。詰め替え用キャップ２０５は、下方に突出するリムを備え、該リムは、ロール１４２の内側、及びリントスライダ２０３上に嵌合する。また、詰め替え用キャップ２０５は、ツマミ２０４に対応する開口部２０６を備える。従って、詰め替え用キャップ２０５は、ツマミ２０４が開口部（アパーチャ）２０６と係合すると、当該技術分野で既知の方法で、ツマミ２０４とのスナップフィットを形成する。
【００８１】
図１０に表されるように、しかし必要とは限らないが、ハウジング１２は、カバー２０７によって被覆されてもよく、カバー２０７は、プラスチック又は金属等の任意の材料で作製でき、加飾金属とするのが好ましい。また、必ずしも作動装置１６１を被覆する必要はないが、更なる対応するキャップ２００で任意に該作動装置を被覆してもよい。例えば、カバー２０７が金属である場合、キャップ２００は、装置全体が、装飾的な、又は審美的に優れた単一の金属カバーによって被覆されるように、同じ金属材料製としてもよい。
【００８２】
本装置は、新たなリントロールを再装填又は詰め替えし易くしてもよい。これは、単に、リントスライダ２０３の端部からキャップ２０５を取り外すことによって、達成される。これは、キャップ２０５の開口部２０６とスライダ２０３のツマミ２０４とをスナップフィット結合することで、容易に達成される。当該技術分野で知られるように、スナップフィット結合は、ツマミ２０４と対応する開口部２０６の曲率半径に応じて耐久度を変化させられる。ツマミが比較的滑らかで丸みを帯びている場合、詰め替え用キャップ２０５の開口部２０６からツマミを取り出すのに必要な力は、ユーザによって容易に供給されるかも知れない。キャップ２０５が取り外されると、空のリントロール又は使用済みリントロール１４２を取除いて、新たなリントロール１４２と交換されてもよい。また、注目すべきは、スライダ２０３上に配置された際のリントロール１４２は、スライダ２０３周りに回動可能であり、それにより使用中に、ユーザは、リントロール１４２を被掃除面上で回動させられる点である。リントロール１４２は、スライダ２０３の近位端にある直径が大きな領域、及びキャップ２０５にある直径が大きな領域によって、スライダ２０３上に保持される。
【００８３】
更なる実施形態（図示せず）では、螺旋装置２４を無くしてもよく、上述した他のメカニズムの１つが使用できる。例えば、螺旋体２４及び対応する螺子切り部２２２を無くして、リントスライダ２０３は、ユーザによって、例えば望遠鏡のように、ハウジング１２から単に引き出されるようにしてもよい。これは、図１に関して説明した装置と同じである。リントスライダを維持、つまりロール１４２を運転（展開）位置に維持する様々な手段が、上述したように使用されてもよく、これらの別のメカニズムは、図１０の装置に適用されるものとして、当業者に見なされるべきである。
【００８４】
更なる別の実施形態が図１１で表されており、この実施形態は、多くの点で、図１０の装置に対応しているため、同じ参照番号が使用されている。ここでの主な相違点は、突部２２２によって螺合部を設ける代りに、ローラに、走行部（トラベラ）３００を更に備える点である。走行部３００は、図１２で拡大されている。走行部３００は、略円筒体３０１をしており、径方向に突出する突部（ラグ）３０３、及び内部螺合部を備える内腔３０２を有する。走行部３００は、芯２０２によって画成される内部空間内に嵌合するように、寸法取りされ、構成され（同様に、図示されたような円筒形であり）、芯（コア）２０２内部で長手方向に上下移動してもよい。走行部３００の突出した突部３０３は、芯２０２のスロット２０８を（即ち、図１０における、突部２２２に関して外側から内にとは逆に、内側から外に）通る。組立てを容易にするために、芯２０２は、スロット２０８の長さに沿って少なくとも１つの切込部（カットアウト）２１０を備える。切込部２１０は、走行部が切込部を通過でき、そのために芯２０２の内側に配置可能するのに十分な大きさにする。
【００８５】
図１１の装置では、スライダ２０３の２つの半体２０３ａ及び２０３ｂは、直径方向に対向するソケット３０５を備え、該ソケットは、走行部の突部３０３を受容するよう寸法取りされ、構成される。そのために、組立て中、走行部３００は、芯２０２の内側に、切込部２１０を介して配置され、突部３０３がスロット２０８を通り突出する。スライダ２０３の半体が、その後一体化され、突部３０３は、対応するソケット３０５内に配設される。よって、走行部３００は、スライダ２０３内に捕捉されるが、スロット２０８内の突部３０３により、走行部とスライダの結合体が、芯の長手方向に上下移動可能になる。走行部３００の螺合部３０２は、螺旋体２４の螺合部と係合され、それにより本装置は、図１０で説明されたのと全く同様に機能するようになる。
【００８６】
使用し易くするために、リントロール１４２をキャップ２０５と共に消費者に販売すると有効であろう、そのため本発明で想定されている。
【００８７】
また、本装置の発明者は、特に図１０及び図１１で説明されたような、本装置に関する理想的な寸法が、長さ約１００〜１５０ｍｍ、好適には１３０ｍｍであることを発見した。本装置の対応する断面直径は、約２５〜４０ｍｍ、好適には３０〜３５ｍｍ、最も好適には３３．７ｍｍとすることができる。これらの大きさでは、本発明の装置が、ポケット、財布又はハンドバッグのいずれかに入れて、ユーザが持ち歩きし易くできる。
本発明の装置では、ハウジング１２は、ユーザによって把持可能である。把持可能なハウジングの利点は、ハウジングが、本装置の操作でユーザを補助する点である。
【００８８】
ローラ１４の遠心端には、着脱可能なキャップ又は蓋が設けられている。このキャップは、ハウジング１２に大きさを合せてあり、それによりローラ１４が非展開位置にある際に、キャップが、装置に対する保護蓋になる。キャップは、ローラ１４に、例えばスナップフィット又は螺嵌によって、固定されてもよいが、キャップを固着するための他の方法が、使用されてもよい。キャップの利点は、キャップは、ハウジング内部に埃やゴミが入るのを防いで、上述したように本装置の使用にも役立つ点である。
【００８９】
本発明の一装置では、装置用カバーを設けてもよい。カバーは、本装置全体を完全に被覆してもよい、又はカバーは、作動装置の一部が被覆されないように、本装置を部分的に被覆してもよい。カバーの利点は、ユーザにとって審美的に優れるように適合されてもよい点である。カバーは、スナップフィット又は螺嵌又は当該技術分野で既知の他の手段によって、本装置に固定されてもよい。
【００９０】
本開示は、本装置を使用する方法を更に含む。使用中、本装置は、対象物の表面から不要物を除去する、例えば衣服又は他の表面からリント若しくは毛髪を除去するのに使用できる。本方法は、ローラ１４を展開するために作動装置１６を操作することを含む。展開位置になると、ローラ１４は、リント、又は他のかかる物質を除去するのに使用されることができる。
【００９１】
本装置１０及び本装置の部品は、例えば、プラスチック又は金属といった、目的に適した当該技術分野で知られた任意の材料で、作製されてもよい。
【００９２】
本明細書及びクレームで使用される際に、用語「展開可能（ｄｅｐｌｏｙａｂｌｅ）」及びその変化形は、ローラ１４が、リントを除去する機能を果たすために使用可能な位置になるように、ハウジング１２から露出されることを意味する。
【００９３】
本明細書及びクレームで使用される際に、用語「移動可能（ｍｏｖｅａｂｌｅ）」及びその変化形は、ローラ１４又はハウジング１２が、他方に対して移動できることを意味する。
【００９４】
本明細書及びクレームで使用される際に、用語「含む（ｃｏｍｐｒｉｓｅｓ）」及び「含んでいる（ｃｏｍｐｒｉｓｉｎｇ）」及びその変化形は、特定の特徴、ステップ又は整数が含まれることを意味する。この用語は、他の特徴、ステップ又は構成要素の存在を排除するとは解釈されないものとする。
【００９５】
前述の説明若しくは以下のクレーム又は添付図で開示され、特定の形状で又は開示された機能を果たす手段、又は開示された結果を得るための方法若しくは工程の観点から、適宜表現される特徴は、別々に、又はかかる特徴の任意の組合せで、様々な形で、本発明を実行するのに利用されてもよい。
【符号の説明】
【００９６】
１０            リント除去装置
１２            ハウジング
１４、１４０    ローラ
１６、１６１    作動装置（アクチュエータ）又はアクチュエータキャップ
１８            螺合部（スクリュースレッド）
２０            ハウジングの内腔
２２            ピン
２４            螺旋体又は螺子
２６、３２、３８、１８８、２０８、３２１、３２２    スロット
２８            バネ
３４、２０９    フランジ
３６            リップ
４０            ヒンジ装置
１２０          ジョイント
１２１          内室
１２２          遠位開口
１４１          リント除去材又はテープ
１４２          ロール
１４３          心棒（スピンドル）
１４４          ピストン
１６２          作動装置（アクチュエータ）又はラジアルピン
１６３          トリガ又はラジアルピン
１６４          作動装置（アクチュエータ）又はトリガ又はピン
１６５          ハウジングセクション又は作動装置（アクチュエータ）
１８１          切欠き（ノッチ）
２００          キャップ
２０１          内側スリーブ
２０１          螺子
２０２          芯（コア）
２０３          リントスライダ
２０４          ツマミ
２０５          詰め替え用（レフィル）キャップ
２０６          キャップの開口部（アパーチャ）
２０７          カバー
２１０          切込部（カットアウト）
２２１          螺合部又は螺子山（スクリュースレッド）
２２２          螺子切り部（スレッド）
２２２          突部（ラグ）
３００          走行部（トラベラ）
３０１          円筒体
３０２          芯（コア）
３０２          内腔又は螺合部（スクリュースレッド）
３０３          突部（ラグ）
３０５          ソケット
３８１          スロットの水平部分
１２１０        横スプリット
１６５０        把持可能な素子
【図１】
2019147006.tif 000003
【図２】
2019147006.tif 000004
【図３】
2019147006.tif 000005
【図４】
2019147006.tif 000006
【図５】
2019147006.tif 000007
【図６】
2019147006.tif 000008
【図７】
2019147006.tif 000009
【図８】
2019147006.tif 000010
【図９】
2019147006.tif 000011
【図１０】
2019147006.tif 000012
【図１１】
2019147006.tif 000013
【図１２】
2019147006.tif 000014
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
リント除去装置であって、
ハウジングと、
ローラ及びリント除去材は、前記ハウジングによって収容されるように寸法取りされ、構成され、前記ローラ及びハウジングは、リントスライダ要素が、前記ハウジングから展開可能なように構成され、展開状態では前記リントスライダ要素が前記ハウジングから突出し、芯（コア）及びリント除去材のロールが回転可能に固定できるリントスライダ要素からなるローラと、
前記ローラと結合される、回動可能な作動装置であって、前記リントスライダ要素が展開するようユーザにより操作可能な作動装置とを含み、
前記作動装置は、前記リントスライダ要素が前記ハウジングの中央の長手方向の軸に対して軸方向に移動するように構成され、前記ハウジングの中央の長手方向の軸上に設置された螺旋体又は螺合部に接続される、或いは前記螺旋体又は螺合部と共に形成されることを特徴とする、リント除去装置。
【請求項２】
前記作動装置は、前記ハウジングに対して回動可能である、請求項１に記載の装置。
【請求項３】
前記ローラは、リント除去材のロールを含む、請求項１又は２に記載の装置。
【請求項４】
前記リント除去材は、接着剤でコーティングされた基材を含む、請求項３に記載の装置。
【請求項５】
前記リント除去材のロールは、前記リント除去材が巻着される管を含む、請求項３又は４に記載の装置。
【請求項６】
前記ハウジングは、筒状である、請求項１乃至５のいずれかに記載の装置。
【請求項７】
ハウジングおよび作動装置の全体または一部のための着脱可能なカバーを更に含む、請求項１乃至６のいずれかに記載の装置。
【請求項８】
前記カバーが、金属カバーである、請求項７に記載の装置。
【請求項９】
前記カバーは、２部分から成り、片方がもう片方より長い、請求項７又は８に記載の装置。
【請求項１０】
前記ローラの遠心端は、キャップを備える、請求項１乃至９のいずれかに記載の装置。
【請求項１１】
リント除去材のロールを前記ローラ上に保持するために、前記キャップは、前記ローラに接続可能である、請求項１０に記載の装置。
【請求項１２】
前記螺旋体又は螺合部は、前記ローラの対応する螺合部と係合可能である、請求項１乃至１１のいずれかに記載の装置。
【請求項１３】
前記ローラ螺合部は、前記リントスライダ要素上、或いは前記ローラ上又は内に固定された走行部上に設けられる、請求項１２に記載の装置。
【請求項１４】
前記ローラの芯は、少なくとも１つの直径方向に対向する長手方向スロットを含む、請求項１２又は１３に記載の装置。
【請求項１５】
前記ローラの芯は、２つの直径方向に対向する長手方向スロットを含む、請求項１４に記載の装置。
【請求項１６】
前記ローラ螺合部は、前記リントスライダ要素の突部によって設けられ、該突部は、前記又は各長手方向スロットに沿って移動するように寸法取りされ、構成される、請求項１４又は１５に記載の装置。
【請求項１７】
前記リントスライダ要素は、２つの分離可能な部品で形成され、該スライダ要素の各部分は、突部を備える、請求項１６に記載の装置。
【請求項１８】
前記ローラ螺合部は、前記走行部の内腔によって設けられ、前記走行部は、前記又は各長手方向スロットに沿って移動するように寸法取りされ、構成される突部を有する、請求項１４又は１５に記載の装置。